【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
原液汚泥を凝集した凝集スラリーを外筒スクリーン（５）の始端部に圧入供給し、回転するスクリュー軸（７）で外筒スクリーン（５）の後端側に搬送しながら外筒スクリーン（５）からろ液を分離して、外筒スクリーン（５）の終端部から脱水ケーキを取り出す際に、スクリュー軸（７）のトルクを一定に制御するスクリュープレスにおけるスクリュー軸トルク一定制御方法において、
予め幅を持たせたスクリュー軸（７）の基準トルク（Ｔ０）と、
段階的に増減させる圧入圧力の圧力幅（ｐ）を設定し、
スクリュープレスに圧入する基準圧力（Ｐ０）と、基準圧力の最大値である最大基準圧力（Ｐｍａｘ）、基準圧力の最小値である最小基準圧力（Ｐｍｉｎ）、段階的に増減させる圧入圧力の圧力幅（ｐ）と、
凝集剤の基準供給量（Ａ０）と、基準供給量の最大値である最大供給量（Ａｍａｘ），基準供給量の最小値である最小供給量（Ａｍｉｎ），段階的に増減させる供給量幅（ａ）と、
を設定して、
トルクの計測値（Ｔ）が基準トルク（Ｔ０）の範囲内の時は、スクリュープレスの運転を継続し、
トルクの計測値（Ｔ）が基準トルク（Ｔ０）より低い場合、圧入圧力を圧力幅（ｐ）だけ増加させ、圧入圧力が最大基準圧力（Ｐｍａｘ）となった時は、凝集剤の供給量を供給量幅（ａ）だけ段階的に増加させ、スクリュー軸（７）のトルクが基準トルク（Ｔ０）の範囲内に上昇するまでこの操作を繰り返すと共に、
トルクの計測値（Ｔ）が基準トルク（Ｔ０）より高い場合、凝集剤の供給量を供給量幅（ａ）だけ減少させ、凝集剤の供給量が最小供給量（Ａｍｉｎ）となった時は、圧入圧力を圧力幅（ｐ）だけ段階的に減少させスクリュー軸（７）のトルクが基準トルク（Ｔ０）の範囲内に下降するまでこの操作を繰り返し、
スクリュー軸（７）のトルクを基準トルク（Ｔ０）の範囲内に制御する
ことを特徴とするスクリュープレスにおけるスクリュー軸トルク一定制御方法。
【請求項２】
上記圧入圧力を凝集スラリーの供給量で調整し、
予め凝集スラリーの最大供給量（Ｑｍａｘ），最小供給量（Ｑｍｉｎ），段階的に増減させる供給量幅（ｑ）と、を設定して、
トルクの計測値（Ｔ）が予め設定した基準トルク（Ｔ０）より低い場合、
凝集スラリーの供給量を供給量幅（ｑ）だけ増加させ、スクリュー軸（７）のトルクが基準トルク（Ｔ０）の範囲内に上昇するまでこの操作を繰り返し、
凝集スラリーの供給量が最大供給量（Ｑｍａｘ）となった時は、凝集剤の供給量を供給量幅（ａ）だけ段階的に増加させ、スクリュー軸（７）のトルクが基準トルク（Ｔ０）の範囲内に上昇するまでこの操作を繰り返すと共に、
トルクの計測値（Ｔ）が予め設定した基準トルク（Ｔ０）より高い場合、
凝集剤の供給量を供給量幅（ａ）だけ減少させ、スクリュー軸（７）のトルクが基準トルク（Ｔ０）の範囲内に下降するまでこの操作を繰り返し、
凝集剤の供給量が最小供給量（Ａｍｉｎ）となった時は、凝集スラリーの供給量を供給量幅（ｑ）だけ減少させ、スクリュー軸（７）のトルクが基準トルク（Ｔ０）の範囲内に上昇するまでこの操作を繰り返す
ことを特徴とする請求項１に記載のスクリュープレスにおけるスクリュー軸トルク一定制御方法。
【請求項３】
上記圧入圧力を排出部のプレッサー（１４）開度で調整し、
予めプレッサー（１４）の最大開度（Ｂｍａｘ），最小開度（Ｂｍｉｎ），段階的に増減させる開度幅（ｂ）と、を設定して、
トルクの計測値（Ｔ）が予め設定した基準トルク（Ｔ０）より低い場合、
プレッサー（１４）の開度を開度幅（ｂ）だけ減少させ、スクリュー軸（７）のトルクが基準トルク（Ｔ０）の範囲内に上昇するまでこの操作を繰り返し、
プレッサー（１４）の開度が最小開度（Ｂｍｉｎ）となった時は、凝集剤の供給量を供給量幅（ａ）だけ段階的に増加させ、スクリュー軸（７）のトルクが基準トルク（Ｔ０）の範囲内に上昇するまでこの操作を繰り返すと共に、
トルクの計測値（Ｔ）が予め設定した基準トルク（Ｔ０）より高い場合、
凝集剤の供給量を供給量幅（ａ）だけ減少させ、スクリュー軸（７）のトルクが基準トルク（Ｔ０）の範囲内に下降するまでこの操作を繰り返し、
凝集剤の供給量が最小供給量（Ａｍｉｎ）となった時は、プレッサー（１４）の開度を開度幅（ｂ）だけ増加させ、スクリュー軸（７）のトルクが基準トルク（Ｔ０）の範囲内に上昇するまでこの操作を繰り返す
ことを特徴とする請求項１に記載のスクリュープレスにおけるスクリュー軸トルク一定制御方法。
【手続補正２】
【補正対象書類名】明細書
【補正対象項目名】０００５
【補正方法】変更
【補正の内容】
【０００５】
本発明は、原液汚泥を凝集した凝集スラリーを外筒スクリーンの始端部に圧入供給し、回転するスクリュー軸で外筒スクリーンの後端側に搬送しながら外筒スクリーンからろ液を分離して、外筒スクリーンの終端部から脱水ケーキを取り出す際に、スクリュー軸のトルクを一定に制御するスクリュープレスにおけるスクリュー軸トルク一定制御方法において、予め幅を持たせたスクリュー軸の基準トルクと、段階的に増減させる圧入圧力の圧力幅を設定し、スクリュープレスに圧入する基準圧力と、基準圧力の最大値である最大基準圧力，基準圧力の最小値である最小基準圧力，段階的に増減させる圧入圧力の圧力幅と、凝集剤の基準供給量と、基準供給量の最大値である最大供給量，基準供給量の最小値である最小供給量，段階的に増減させる供給量幅と、を設定して、トルクの計測値が基準トルクの範囲内の時は、スクリュープレスの運転を継続し、トルクの計測値が基準トルクより低い場合、圧入圧力を圧力幅だけ増加させ、圧入圧力が最大基準圧力となった時は、凝集剤の供給量を供給量幅だけ段階的に増加させ、スクリュー軸のトルクが基準トルクの範囲内に上昇するまでこの操作を繰り返すと共に、トルクの計測値が基準トルクより高い場合、凝集剤の供給量を供給量幅だけ減少させ、凝集剤の供給量が最小供給量となった時は、圧入圧力を圧力幅だけ段階的に減少させスクリュー軸のトルクが基準トルクの範囲内に下降するまでこの操作を繰り返し、スクリュー軸のトルクを基準トルクの範囲内に制御するもので、凝集剤の使用量を優先的に削減しつつスクリュー軸のトルクを一定に制御するので、汚泥の性状変動に対して安定した脱水ケーキを排出できる。
また、圧入圧力を凝集スラリーの供給量で調整し、予め凝集スラリーの最大供給量，最小供給量，段階的に増減させる供給量幅と、を設定して、トルクの計測値が予め設定した基準トルクより低い場合、凝集スラリーの供給量を供給量幅だけ増加させ、スクリュー軸のトルクが基準トルクの範囲内に上昇するまでこの操作を繰り返し、凝集スラリーの供給量が最大供給量となった時は、凝集剤の供給量を供給量幅だけ段階的に増加させ、スクリュー軸のトルクが基準トルクの範囲内に上昇するまでこの操作を繰り返すと共に、トルクの計測値が予め設定した基準トルクより高い場合、凝集剤の供給量を供給量幅だけ減少させ、スクリュー軸のトルクが基準トルクの範囲内に下降するまでこの操作を繰り返し、凝集剤の供給量が最小供給量となった時は、凝集スラリーの供給量を供給量幅だけ減少させ、スクリュー軸のトルクが基準トルクの範囲内に上昇するまでこの操作を繰り返すもので、スクリュープレスの急激な運転変化がなく、常時ろ過室内の汚泥性状を最適な状態で脱水運転できる。
また、圧入圧力を排出部のプレッサー開度で調整し、予めプレッサーの最大開度，最小開度，段階的に増減させる開度幅と、を設定して、トルクの計測値が予め設定した基準トルクより低い場合、プレッサーの開度を開度幅だけ減少させ、スクリュー軸のトルクが基準トルクの範囲内に上昇するまでこの操作を繰り返し、プレッサーの開度が最小開度となった時は、凝集剤の供給量を供給量幅だけ段階的に増加させ、スクリュー軸のトルクが基準トルクの範囲内に上昇するまでこの操作を繰り返すと共に、トルクの計測値が予め設定した基準トルクより高い場合、凝集剤の供給量を供給量幅だけ減少させ、スクリュー軸のトルクが基準トルクの範囲内に下降するまでこの操作を繰り返し、凝集剤の供給量が最小供給量となった時は、プレッサーの開度を開度幅だけ増加させ、スクリュー軸のトルクが基準トルクの範囲内に上昇するまでこの操作を繰り返すもので、スクリュープレスの急激な運転変化がなく、常時ろ過室内の汚泥性状を最適な状態で脱水運転できる。
【手続補正３】
【補正対象書類名】明細書
【補正対象項目名】００１７
【補正方法】変更
【補正の内容】
【００１７】
図３はこの実施の形態に係る運転制御システムのフローチャートである。
Ａ．初期設定
スクリュー軸７の基準トルクＴ０（最大基準トルクＴｍａｘ，最小基準トルクＴｍｉｎ）を設定する。本実施例では、最大基準トルクＴｍａｘと最小基準トルクＴｍｉｎの間を基準トルクＴ０として幅を持たせている。
凝集スラリーをスクリュープレス１に圧入する際の基準圧力Ｐ０，最大圧力Ｐｍａｘ，最小圧力Ｐｍｉｎ，段階的に増減させる圧力幅ｐを設定する。
凝集剤の基準供給量Ａ０，最大供給量Ａｍａｘ，最小供給量Ａｍｉｎ，段階的に増減させる供給量幅ａを設定する。
なお、圧入圧力の調整を行う凝集スラリーの最大供給量Ｑｍａｘ，最小供給量Ｑｍｉｎ，段階的に増減させる供給量幅ｑと、プレッサー１４の最大開度Ｂｍａｘ，最小開度Ｂｍｉｎ，開度幅ｂを設定する。
Ｂ．運転開始
上記基準値Ｔ０，Ｐ０，Ａ０及び定格値Ｎにて各機器を運転する。
Ｃ．トルク比較
スクリュープレス１のスクリュー軸７のトルクを測定し、基準トルクＴ０と比較する。
トルクの計測値Ｔが基準トルクＴ０内にある場合は、各機器の運転を現状の状態で維持する。
計測値Ｔが基準トルクＴ０より小さい場合は、フローチャートのＤへ移行して、スクリュープレス１に供給する凝集スラリーの圧入圧力、あるいは凝集剤の供給量を段階的に増加させる制御を行う。
計測値Ｔが基準トルクＴ０より大きい場合は、フローチャートのＥへ移行して凝集剤の供給量、あるいはスクリュープレス１に供給する凝集スラリーの圧入圧力を段階的に減少させる制御を行う。
Ｄ．圧入圧力比較
上記フローチャートＣにおいて、トルクの計測値Ｔが基準トルクＴ０より小さい場合は、圧入圧力を上昇させるために凝集スラリーの供給量を増加させるべく、段階的に増加させる圧力幅ｐを加味した圧力Ｐと最大圧力Ｐｍａｘとを比較する。
変更後の圧入圧力Ｐが最大圧力Ｐｍａｘより小さい場合は、フローチャートのＦへ移行して圧入圧力を段階的に増加させる制御を行う。
変更後の圧入圧力Ｐが最大圧力Ｐｍａｘ以上となる場合は、フローチャートのＧへ移行して、凝集剤の供給量を段階的に増加させる制御を行う。
Ｆ．圧入圧力（増）
上記フローチャートＤにおいて、変更後の圧入圧力の計測値Ｐが最大圧力Ｐｍａｘより小さい場合は、予め設定した圧力幅ｐだけ圧入圧力を増加させる制御を行う。
具体的には、原液供給ポンプ２１を調整し、凝集スラリーの供給量を予め設定した供給量幅ｑだけ増加させる。その際には、フローチャートのＤにて段階的に増加させる供給量幅ｑを加味した供給量Ｑと最大供給量Ｑｍａｘとを比較判断してもよい。
また、他の手段としてスクリュープレス１のプレッサー１４の開度を調整し、予め設定した開度幅ｂだけ減少させてもよい。その際には、フローチャートのＤにて段階的に減少させる開度幅ｂを加味した開度Ｂと最小開度Ｂｍｉｎとを比較判断してもよい。
Ｇ．凝集剤の最大供給量比較
上記フローチャートＤにおいて、圧入圧力の計測値Ｐが最大圧力Ｐｍａｘ以上となる場合は、圧入圧力を上昇させるために凝集剤を増加させるべく、段階的に増加させる供給量幅ａを加味した供給量Ａと最大供給量Ａｍａｘとを比較する。
変更後の凝集剤の供給量Ａが最大供給量Ａｍａｘより小さい場合は、フローチャートのＨへ移行して凝集剤の供給量を段階的に増加させる制御を行う。
変更後の凝集剤の供給量Ａが最大供給量Ａｍａｘ以上となる場合は、フローチャートのＩへ移行して、警報を発するか、あるいはスクリュープレス１の運転を自動停止させる制御を行う。
Ｈ．凝集剤供給量（増）
上記フローチャートＧにおいて、変更後の凝集剤の供給量Ａが最大供給量Ａｍａｘより小さい場合は、薬液供給ポンプ２６を調整し、予め設定した供給量幅ａだけ凝集剤の供給量を増大させる制御を行う。
Ｉ．警報・運転停止
一定時間経過後に再度トルクを測定し、計測値が基準トルク内に復帰するまで上記動作を繰り返す。凝集剤が最大供給量あるいは最小供給量に達してもトルクの計測値が基準値内に復帰しない場合は、警報を発するか、あるいはスクリュープレス１の運転を自動停止する。
Ｅ．凝集剤の最小供給量比較
上記フローチャートＣにおいて、トルクの計測値Ｔが基準トルクＴ０より大きい場合は、圧入圧力を下降させるために凝集剤の供給量を減少させるべく、段階的に減少させる供給量幅ａを加味した供給量Ａと最小供給量Ａｍｉｎとを比較する。
変更後の供給量Ａが最小供給量Ａｍｉｎより大きい場合は、フローチャートのＪへ移行して凝集剤の供給量を段階的に減少させる制御を行う。
変更後の供給量Ａが最小供給量Ａｍｉｎ以下となる場合は、フローチャートのＫへ移行して、凝集スラリーの圧入圧力を段階的に減少させる制御を行う。
Ｊ．凝集剤供給量（減）
上記フローチャートＥにおいて、変更後の凝集剤の供給量Ａが最小供給量Ａｍｉｎより大きい場合は、薬液供給ポンプ２６を調整し、予め設定した供給量幅ａだけ凝集剤の供給量を減少させる制御を行う。
Ｋ．圧入圧力比較
上記フローチャートＥにおいて、変更後の凝集剤の供給量Ａが最小供給量Ａｍｉｎ以下の場合は、圧入圧力を下降させるために凝集スラリーの供給量を減少させるべく、段階的に減少させる圧力幅ｐを加味した圧力Ｐと最小圧力Ｐｍｉｎとを比較する。
変更後の圧入圧力Ｐが最小圧力Ｐｍｉｎより大きい場合は、フローチャートのＬへ移行して圧入圧力を段階的に減少させる制御を行う。
変更後の圧入圧力Ｐが最小圧力Ｐｍｉｎ以下となる場合は、フローチャートのＭへ移行して、警報を発するか、あるいはスクリュープレス１の運転を自動停止させる制御を行う。
Ｌ．圧入圧力（減）
上記フローチャートＫにおいて、変更後の圧入圧力の計測値Ｐが最小圧力Ｐｍｉｎより大きい場合は、原液供給ポンプ２１を調整し、予め設定した圧力幅ｐだけ圧入圧力を減少させる制御を行う。
具体的には、原液供給ポンプ２１を調整し、凝集スラリーの供給量を予め設定した供給量幅ｑだけ減少させる。その際には、フローチャートのＫにて段階的に減少させる供給量幅ｑを加味した供給量Ｑと最小供給量Ｑｍｉｎとを比較判断してもよい。
また、他の手段としてスクリュープレス１のプレッサー１４の開度を調整し、予め設定した開度幅ｂだけ増加させてもよい。その際には、フローチャートのＫにて段階的に増加させる開度幅ｂを加味した開度Ｂと最大開度Ｂｍａｘとを比較判断してもよい。
Ｍ．警報・運転停止
一定時間経過後に再度トルクを測定し、計測値が基準トルク内に復帰するまで上記動作を繰り返す。凝集剤が最大供給量あるいは最小供給量に達してもトルクの計測値が基準値内に復帰しない場合は、警報を発するか、あるいはスクリュープレス１の運転を自動停止する。
なお、圧入圧力あるいは凝集剤の供給量を変更すると、一定時間経過後に再度圧入圧力を測定し、計測値Ｔが基準トルクＴ０内に復帰するまで上記動作を繰り返す。